(57)【要約】【課題】搬送装置に容易に取り付けることができる乗移りローラ装置を提供する。【解決手段】乗移りローラ装置３は、搬送装置１のエンドローラ12に固着する駆動回転磁石体21と、搬送装置１のフレーム体14に固着する取付ブラケット33とを備える。取付ブラケット33には、駆動回転磁石体21の回転より回転する第１従動回転磁石体31を回転可能に取り付ける。取付ブラケット33には、乗移りローラ40を回転可能に取り付け、この乗移りローラ40には第１従動回転磁石体31の回転より回転する第２従動回転磁石体32を固着する。【選択図】図１
2007221891.tif 000002
【特許請求の範囲】
【請求項１】
搬送装置の回転体に固着され、外周部に磁極を有する駆動回転磁石体と、
前記搬送装置のフレーム体に固着される取付ブラケットと、
この取付ブラケットに回転可能に取り付けられ、外周部に磁極を有し、前記駆動回転磁石体の回転より回転する第１従動回転磁石体と、
前記取付ブラケットに回転可能に取り付けられた乗移りローラと、
この乗移りローラに固着され、外周部に磁極を有し、前記第１従動回転磁石体の回転より回転する第２従動回転磁石体と
を備えることを特徴とする乗移りローラ装置。
【請求項２】
乗移りローラの軸方向一端近傍の部分が取付ブラケットに回転可能に取り付けられ、
前記乗移りローラの軸方向一端部に第２従動回転磁石体が固着され、
前記乗移りローラの軸方向他端部が自由端部となっている
ことを特徴とする請求項１記載の乗移りローラ装置。
【請求項３】
搬送装置の回転体は、フレーム体に回転可能に取り付けられたエンドローラであり、
駆動回転磁石体は、前記エンドローラの軸方向端部に固着される
ことを特徴とする請求項１または２記載の乗移りローラ装置。
【発明の詳細な説明】
【技術分野】
【０００１】
本発明は、部品点数が少なくて構造が簡単であるばかりでなく、搬送装置に容易に取り付けることができる乗移りローラ装置に関するものである。
【背景技術】
【０００２】
従来、例えば物品を一定姿勢のまま一の搬送装置から他の搬送装置へ乗り移らせるために、一の搬送装置の搬送終端部と他の搬送装置の搬送始端部との間に乗移りローラを回転可能に配設することがある。そして、その乗移りローラへ動力を伝達する動力伝達装置としては、タイミングプーリおよびタイミングベルト等を用いた構造が採られている。
【０００３】
一方、無発塵、長寿命、低騒音、低コストおよびメンテナンスフリー等の観点から、例えば外周部に磁極を有する駆動回転磁石体と、駆動回転磁石体の近傍に配設され外周部に磁極を有する従動回転磁石体とを備えた無接触動力伝動機構が知られている（例えば特許文献１参照）。
【特許文献１】特開昭４８−８８３５２号公報
【発明の開示】
【発明が解決しようとする課題】
【０００４】
そこで、例えば無接触動力伝動機構からの動力で乗移りローラを回転させることが考えられるが、この場合には、搬送装置に対する取り付け易さ等が問題となる。
【０００５】
本発明は、このような点に鑑みなされたもので、部品点数が少なくて構造が簡単であるばかりでなく、搬送装置に容易に取り付けることができる乗移りローラ装置を提供することを目的とする。
【課題を解決するための手段】
【０００６】
請求項１記載の乗移りローラ装置は、搬送装置の回転体に固着され、外周部に磁極を有する駆動回転磁石体と、前記搬送装置のフレーム体に固着される取付ブラケットと、この取付ブラケットに回転可能に取り付けられ、外周部に磁極を有し、前記駆動回転磁石体の回転より回転する第１従動回転磁石体と、前記取付ブラケットに回転可能に取り付けられた乗移りローラと、この乗移りローラに固着され、外周部に磁極を有し、前記第１従動回転磁石体の回転より回転する第２従動回転磁石体とを備えるものである。
【０００７】
請求項２記載の乗移りローラ装置は、請求項１記載の乗移りローラ装置において、乗移りローラの軸方向一端近傍の部分が取付ブラケットに回転可能に取り付けられ、前記乗移りローラの軸方向一端部に第２従動回転磁石体が固着され、前記乗移りローラの軸方向他端部が自由端部となっているものである。
【０００８】
請求項３記載の乗移りローラ装置は、請求項１または２記載の乗移りローラ装置において、搬送装置の回転体は、フレーム体に回転可能に取り付けられたエンドローラであり、駆動回転磁石体は、前記エンドローラの軸方向端部に固着されるものである。
【発明の効果】
【０００９】
請求項１に係る発明によれば、取付ブラケットを搬送装置のフレーム体に固着するとともに駆動回転磁石体を搬送装置の回転体に固着することによって、搬送装置への取付が完了するため、部品点数が少なくて構造が簡単であるばかりでなく、搬送装置に容易に取り付けることができる。
【００１０】
請求項２に係る発明によれば、乗移りローラが軸方向一端近傍の部分で取付ブラケットに回転可能に取り付けられた片支持ローラであるため、構造がより簡単である。
【００１１】
請求項３に係る発明によれば、駆動回転磁石体を搬送装置のエンドローラの軸方向端部に固着することにより、駆動回転磁石体と第１従動回転磁石と第２従動回転磁石とにてエンドローラからの動力を乗移りローラまで適切に伝達できる。
【発明を実施するための最良の形態】
【００１２】
本発明の一実施の形態を図面を参照して説明する。
【００１３】
図１ないし図４において、１は搬送装置で、この搬送装置１は、上流側搬送装置２から送られてくる物品Ｗを受け入れて搬送方向に搬送するものである。
【００１４】
そして、搬送装置１の搬送始端部および上流側搬送装置２の搬送終端部には、物品Ｗを一定姿勢のまま上流側搬送装置２から搬送装置１へ乗り移らせる乗移りローラ装置３，４が後付けにより取り付けられている。
【００１５】
搬送装置１は、互いに離間対向する対をなすコンベヤフレーム11を備え、両コンベヤフレーム11の搬送始端部および搬送終端部には、軸方向が搬送方向と直交する方向に一致する回転体であるエンドローラ12が回転可能に設けられている。両エンドローラ12間には、図示しないモータ等の駆動手段から出力される動力に基づいて所定方向に回行して物品Ｗを搬送方向に搬送する無端状の搬送ベルト13が回行可能に掛け渡されている。なお、対をなすコンベヤフレーム11にて搬送装置１のフレーム体14が構成されている。
【００１６】
また、エンドローラ12は、フレーム体14の両コンベヤフレーム11の端部にて回転可能に支持された軸部16と、この軸部16に固設され搬送ベルト13の一部が巻かれたローラ部17とを有している。また、図１に示されるように、エンドローラ12の軸部16の端面には、軸部16の軸方向に延びる孔部であるねじ孔部18が形成されている。エンドローラ12の軸部16の軸方向端部は、コンベヤフレーム11の搬送始端部の外面側に形成された略円形状の窪み部20内に配設されている。また、コンベヤフレーム11の搬送始端部の上面側には、上下方向に延びる孔部でねじ孔部10が形成されている。
【００１７】
搬送装置１の搬送始端部に設けられた乗移りローラ装置３は、図１ないし図４に示すように、搬送装置１の搬送始端側のエンドローラ12の軸部16の軸方向端部に固定具であるねじ８にて固着され円筒面状の外周部に複数のＮ−Ｓ極（磁極）を有する略円柱状の駆動回転磁石体21と、搬送装置１のフレーム体14の片方のコンベヤフレーム11の搬送始端部に固定具であるねじ９にて固着された乗移りローラユニット22とを備えている。
【００１８】
駆動回転磁石体21は、図１に示されるように、例えばエンドローラ12の軸部16の軸方向端部に嵌合固定される芯ずれ防止部材24と、この芯ずれ防止部材24に嵌合固定される磁石部材25とにて構成されている。
【００１９】
芯ずれ防止部材24は、エンドローラ12の軸部16の軸方向端部が嵌入される嵌入孔が形成され窪み部20内に配設される軸固定部26と、この軸固定部26に固設された中空軸状部27とを有している。磁石部材25は、芯ずれ防止部材24の中空軸状部27が嵌入される嵌入孔28が形成された円筒状部29と、この円筒状部29の外周側に固設された円筒形状の磁石部30とを有している。この磁石部30は、永久磁石（マグネットリング）21aにて構成され、この永久磁石21aに複数のＮ−Ｓ極が周方向に並んで形成されている。
【００２０】
そして、ねじ８が芯ずれ防止部材24の中空軸状部27内に挿通されてエンドローラ12の軸部16のねじ孔部18にねじ込まれることにより、芯ずれ防止部材24および磁石部材25が搬送装置１のエンドローラ12の軸部16に対して固定される。
【００２１】
一方、乗移りローラユニット22は、図１に示されるように、搬送装置１のフレーム体14の片方のコンベヤフレーム11の搬送始端部の上面に複数、例えば２本のねじ９にて固着される取付ブラケット33を備えている。
【００２２】
取付ブラケット33には上下面に貫通した貫通孔部37が形成されており、ねじ９がその貫通孔部37内に挿通されてコンベヤフレーム11の搬送始端部の上面側のねじ孔部10にねじ込まれることにより、取付ブラケット33がコンベヤフレーム11に対して固定される。なお、取付ブラケット33の下面部には、コンベヤフレーム11の搬送始端部の上側角部分11aに係合する位置決め用段部41が形成されている。
【００２３】
また、取付ブラケット33には、駆動回転磁石体21の近傍にこの駆動回転磁石体21と平行状に配設され駆動回転磁石体21の回転より従動回転する第１従動回転磁石体31が支軸34を介して回転可能に取り付けられている。
【００２４】
第１従動回転磁石体31は、駆動回転磁石体21より径大状に形成されたもので、駆動回転磁石体21と同様、円筒面状の外周部に複数のＮ−Ｓ極（磁極）を有している。すなわち例えば第１従動回転磁石体31は、駆動回転磁石体21の永久磁石21aと近接対向する円筒形状の磁石部である永久磁石（マグネットリング）31aを外周部に有し、この永久磁石31aに複数のＮ−Ｓ極が周方向に並んで形成されている。また、第１従動回転磁石体31は、軸挿通用孔部35を中心部に有し、この軸挿通用孔部35に取付ブラケット33に固設された支軸34が挿通され、この支軸34にて第１従動回転磁石体31が回転可能に支持されている。
【００２５】
また、取付ブラケット33には、物品Ｗを一定姿勢のまま上流側搬送装置２から搬送装置１へ乗り移らせる１本の軸状の片支持ローラである乗移りローラ40がこの乗移りローラ40の軸方向が搬送方向と直交する状態で回転可能に取り付けられている。すなわち例えば乗移りローラ40の軸方向一端近傍の部分が取付ブラケット33に回転可能に取り付けられている。
【００２６】
そして、乗移りローラ40の軸方向一端部には、第１従動回転磁石体31の近傍にこの第１従動回転磁石体31と平行状に配設され第１従動回転磁石体31の回転により従動回転する第２従動回転磁石体32が固着されている。また、この乗移りローラ40の軸方向他端部が自由端部40aとなっている。
【００２７】
第２従動回転磁石体32は、駆動回転磁石体21と同径状に形成されたもので、駆動回転磁石体21と同様、円筒面状の外周部に複数のＮ−Ｓ極（磁極）を有している。すなわち例えば第２従動回転磁石体32は、第１従動回転磁石体31の永久磁石31aと近接対向する円筒形状の磁石部である永久磁石（マグネットリング）32aを外周部に有し、この永久磁石32aに複数のＮ−Ｓ極が周方向に並んで形成されている。また、第２従動回転磁石体32は、ローラ挿通用孔部36を中心部に有し、このローラ挿通用孔部36に乗移りローラ40の軸方向一端部が挿通固着され、この第２従動回転磁石体32は乗移りローラ40と一体となって回転する。なお、乗移りローラ40は、取付ブラケット33にて回転可能に支持され、搬送ベルト13の搬送面13aと略同一面上に位置する。
【００２８】
そして、図４に示すように、搬送装置１のエンドローラ12の回転により駆動回転磁石体21が回転すると、この駆動回転磁石体21の回転によるＮ−Ｓ極の移動にて磁力作用で第１従動回転磁石体31が回転し、さらにこの第１従動回転磁石体31の回転によるＮ−Ｓ極の移動にて磁力作用で第２従動回転磁石体32が回転し、その結果、乗移りローラ40が所定方向に回転する。
【００２９】
なお、上流側搬送装置２の構成部材は、上述した搬送装置１の構成部材と基本的に同一である。また、上流側搬送装置２の搬送終端部に設けられた乗移りローラ装置４の構成部材は、上述した乗移りローラ装置３と基本的に同一であり、乗移りローラ装置の乗移りローラ40は乗移りローラ３と同期して回転する。
【００３０】
なお、駆動回転磁石体21の円筒面状の外周面と第１従動回転磁石体31の円筒面状の外周面との間には隙間（約０．５〜１．０ｍｍ）が存在し、駆動回転磁石体21と第１従動回転磁石体31とが非接触の状態となっている。また、第１従動回転磁石体31の円筒面状の外周面と第２従動回転磁石体32の円筒面状の外周面との間にも隙間（約０．５〜１．０ｍｍ）が存在し、第１従動回転磁石体31と第２従動回転磁石体32とが非接触の状態となっている。このため、このような非接触磁石式の乗移りローラ装置３，４では、無発塵、長寿命、低騒音、低コストおよびメンテナンスフリー等を実現でき、しかも、異常な負荷がかかっても乗移りローラ装置３，４が破損するようなことがない。
【００３１】
次に、乗移りローラ装置３の搬送装置１への取付について説明する。
【００３２】
図１に示すように、第１従動回転磁石体31を取付ブラケット33に支軸34を介して回転可能に取り付けるとともに、第２従動回転磁石体32が軸方向一端部に固着された乗移りローラ40の軸方向一端近傍の部分を取付ブラケット33に回転可能に取り付けることにより、予め、乗移りローラユニット22を組み立てておく。
【００３３】
そして、ねじ９を乗移りローラユニット22の取付ブラケット33の貫通孔部37内に挿通して搬送装置１のフレーム体14の片方のコンベヤフレーム11のねじ孔部10にねじ込むことにより、取付ブラケット33をコンベヤフレーム11の上面部に固着する。
【００３４】
また、ねじ８を磁石部材25の内周側に嵌め込まれた芯ずれ防止部材24の中空軸状部27内に挿通してエンドローラ12の軸部16のねじ孔部18にねじ込むことにより、駆動回転磁石体21をエンドローラ12の軸部16の軸方向端部に固着する。
【００３５】
このように、乗移りローラ装置３によれば、乗移りローラユニット22の取付ブラケット33を搬送装置１のフレーム体14の片方のコンベヤフレーム11に取り外し可能に固着するとともに、駆動回転磁石体21を搬送装置１のエンドローラ12に取り外し可能に固着することによって、乗移りローラ装置３の搬送装置１への取付が完了するため、部品点数が少なくて構造が簡単であるばかりでなく、搬送装置１に容易に取り付けることができる。よって、例えば必要時に乗移りローラ装置３を搬送装置１に短時間で取り付けることができる一方、不要時には乗移りローラ装置３を搬送装置１から短時間で取り外すことができる。
【００３６】
また、乗移りローラ40が軸方向一端近傍の部分で取付ブラケット33に回転可能に取り付けられた片支持ローラであるため、構造がより簡単で、部品点数をより一層少なくできる。
【００３７】
なお、搬送装置１や上流側搬送装置２は、ベルトコンベヤには限定されず、ローラコンベヤ等でもよい。
【図面の簡単な説明】
【００３８】
【図１】本発明の一実施の形態に係る乗移りローラ装置の取付前の斜視図である。
【図２】同上乗移りローラ装置の取付後の斜視図である。
【図３】同上乗移りローラ装置の取付後の平面図である。
【図４】同上乗移りローラ装置の概略正面図である。
【符号の説明】
【００３９】
１    搬送装置
３    乗移りローラ装置
12    回転体であるエンドローラ
14    フレーム体
21    駆動回転磁石体
31    第１従動回転磁石体
32    第２従動回転磁石体
33    取付ブラケット
40    乗移りローラ
40a   自由端部
【図１】
2007221891.tif 000003
【図２】
2007221891.tif 000004
【図３】
2007221891.tif 000005
【図４】
2007221891.tif 000006